(57)【要約】      （修正有）【課題】本体が取付面と別に揺動して該本体が落下する危険性を抑制する。【解決手段】取付部材４に設けられ、本体Ｐ側端部に至るまでの途中箇所に取付孔Ｐａと係合する水平段部５ｂ（段部）が形成された一対の支持部材５，５と、本体Ｐ上面と配線器具２の取付面との間に設けられると共にこれらの間の距離を固定して該本体Ｐの揺動を抑止するカバー部材６（揺動抑止部材）とを備え、支持部材５が取付孔Ｐａに対して拡径方向に付勢して互いに離間しようとするばね性を有することとした。【効果】揺動抑止部材は取付面に対する本体の揺動を抑止するから、支持部材と本体との取付が外れることを確実に防止する。また、一対の支持部材は、ばね性により互いに拡径方向に付勢されて本体に取り付けられているから、容易に該本体から外れることがない。【選択図】図１
2008243690.tif 000002
【特許請求の範囲】
【請求項１】
取付部材を介して配線器具に取付孔が形成された本体を取り付ける照明器具において、前記取付部材に設けられ、本体側端部に至るまでの途中箇所に前記取付孔と係合する段部が形成された一対の支持部材と、本体上面と配線器具の取付面との間に設けられると共にこれらの間の距離を固定して該本体の揺動を抑止する揺動抑止部材とを備え、前記支持部材が取付孔に対して拡径方向に付勢して互いに離間しようとするばね性を有することを特徴とする照明器具。
【請求項２】
一対の支持部材に、該一対の支持部材の該本体側端部の間隔が取付孔に対して縮径方向に互いに短縮することを防止するストッパを設けたことを特徴とする請求項１記載の照明器具。
【発明の詳細な説明】
【技術分野】
【０００１】
本発明は、本体が揺動を規制して該本体の取付強度を向上させることができる照明器具に関する。
【背景技術】
【０００２】
従来、取付部材を介して天井面から所定間隔を存して取り付ける照明器具について、次の特許文献１が知られている。
【特許文献１】特許第３５５４８９８号公報
【０００３】
上記特許文献１は、照明器具の本体を貫通し、該本体を上下にスライド可能に案内する複数の棒状脚部と、各脚部に各々設けられて本体側の脚部貫通部と離脱可能に係合する本体の落下防止用の係止部と、各脚部の上部間を連結すると共に、天井側に固定される連結部とからなる構成とされている。
【０００４】
特許文献１は、上記構成とすることで、天井面から室内への突出量を小さく抑えることができ、使用者に圧迫感を与えることがなく、本体の小型・軽量化を図ることができるものである。
【発明の開示】
【発明が解決しようとする課題】
【０００５】
しかしながら、上記特許文献１には以下の問題があった。図１及び図３に示されるカバー１９は押上げばね２６により本体１を下方に付勢しているが、強い揺動が生じた場合にはこの本体１と取付面（この場合天井１３）との揺動方向における、天井１３から本体１の上面までの距離が容易に変動し、結果として本体１が取付面とは別に揺動する。
【０００６】
本体１が揺動すると次の不具合が生じる。すなわち、（天井器具本体落下防止用の）係止部３２，３３を設けた棒状脚部２９，３０は、ストッパ３４，３５及び係止部３２，３３と、本体１の係止穴３６，３７との係合によって取り付けと落下防止を同時に行うようにしていたので、棒状脚部２９，３０が揺動により破損した場合には本体１が落下する可能性があった。
【０００７】
なお、特許文献１の図１及び図３に示すカバー１９の押上げばね２６の付勢力を強くしたとしても、揺動することには変わりがないので、上記可能性は払拭できない。また、特許文献１の図５に示す構成では、カバー１９は存在せず、本体１の上面が天井１３の取付面と接触しているが、この場合も次の問題が生じる。
【０００８】
すなわち、特許文献１の図５に示す構成は、本来の天井１３の面と本体１との間に一定の距離を設けておらず、照明器具のデザイン性を損なうという問題があった。また、特許文献１の図５に示す構成は、本体１を天井１３の面に取り付けする場合、天井１３の面から取付部材係止部までの距離が定まるのに対して、概ね天井１３の面は均一に水平ではなくばらつきがあるので、安定的な取り付けを維持できないという問題があった。また、特許文献１の図５に示す構成は、スイッチを引っ張るたびに、鉛直方向に力が加わり、取付部材係止部に衝撃が加わり、破壊の虞があるといった問題があった。
【０００９】
つまり、特許文献１における照明器具は、取付面の揺動と同調しないで本体が取付面とは別に容易に揺動し、そして、万一棒状脚部が破損した場合は、この棒状脚部による落下防止の機能を保証する構成が存在しないため、落下するといった事態が生じ得る。
【００１０】
本発明が解決しようとする問題は、特許文献１では例えば地震が生じると本体が取付面と別に揺動し、これにより、本体が容易に落下する可能性がある点、である。
【課題を解決するための手段】
【００１１】
上記問題を解決するために、本発明の照明器具は、取付部材に設けられ、本体側端部に至るまでの途中箇所に取付孔と係合する段部が形成された一対の支持部材と、本体上面と配線器具の取付面との間に設けられると共にこれらの間の距離を固定して該本体の揺動を抑止する揺動抑止部材とを備え、支持部材が取付孔に対して拡径方向に付勢して互いに離間しようとするばね性を有する構成にした。
【発明の効果】
【００１２】
本発明に係る照明器具は、揺動抑止部材が、本体側と本体取付面との空間の距離を固定するから、取付面と同調して本体が揺動、つまり取付面に対しては本体が揺動せず、また、本体のみの揺動も抑止されるから、支持部材と本体との取付が容易に外れることがない。そして、一対の支持部材は、ばね性により互いに離間する方向に付勢されているから、本体との取付強度が強固となり、落下を確実に防止できる。
【発明を実施するための最良の形態】
【００１３】
本発明の照明器具は、図１〜図３に示す形態により実施可能である。図１は分解斜視図を、図２は支持部材を、図３は使用状態の部分断面図を、各々示す。なお、以下では、照明器具において本発明の特徴とする部分についてのみ詳細に説明する。
【００１４】
照明器具１は、本体Ｐを、例えば天井面に取り付けたり、天井面から取り外したりすべく、次の構成とされる。なお、本例では天井面を本体Ｐの取り付け、取り外しの対象としているが、本発明の照明器具１は、壁面をその対象としても使用可能である。また、以下の説明中「上」「下」の表現は、本例が天井面方向を「上」、床面方向を「下」としているのであって、絶対的な方向を意味するものではない。
【００１５】
本体Ｐは、回路構成、基板配置などの詳細な構成説明は省略し、本発明で必要かつ特徴的な構成についてのみ説明する。本体Ｐは、中央に取付孔Ｐａが形成されている。この取付孔Ｐａの周縁部と後述の支持部材５の水平段部５ｂとが係合する。また、本体Ｐの上部で取付孔Ｐａの付近には後述の落下防止部材９が取り付けられている。
【００１６】
２は、例えば天井面から露出して設けられた引っ掛けシーリングタイプの配線器具である。３は、配線器具２と電気的かつ物理的に接続されるアダプタである。このアダプタ３は、側周面に後述の取付部材４の係合孔４ａの周縁部が係合する出入自在な爪３ａが形成されている。なお、配線器具２とアダプタ３は一般的なパーツを用いているので、詳細な説明を省略する。
【００１７】
４は、前記アダプタ３の爪３ａが係合することで取り付けられる取付部材である。取付部材４は、断面凹形状とされ、上記のとおり該凹形状の水平部分の中央に係合孔４ａが形成されている。この係合孔４ａの周縁部にアダプタの爪３ａが係合する。また、取付部材４の配線器具２側とは反対側の面、すなわち下面（以下、フランジ面という）には、後述する落下防止部材９が係合する係合部４ｂが形成されている。
【００１８】
５は、取付部材４のフランジ面に設けられた対をなす支持部材である。この支持部材５は、鋼線でなり、係合孔４ａを挟んで対向状に設けられている。支持部材５の詳細を図２に示す。
【００１９】
支持部材５は、図２（ｂ）に示すように正面視は凹字状とされ、該凹字状の両垂直部には、他方の支持部材５の同部位に対して互いに離反する方向に折り曲げた折曲部５ａが形成されている。この折曲部５ａにより支持部材５のばね性の癖付けがなされている。
【００２０】
すなわち、支持部材５のばね性とは、折曲部５ａの、角度が開いて支持部材５，５の本体Ｐ側端部（正面視凹字の底部水平部分）を互いに接近させたとき、及び角度が閉じて支持部材５，５の本体Ｐ側端部が互いに離反させたとき、いずれの場合も元の角度に復元することを意味する。
【００２１】
また、支持部材５は、図２（ａ）に示すように側面視は上記折曲部５ａの角度に基づいて、本体Ｐ側の端部に向かって互いに接近する傾斜が設けられ、かつ本体Ｐ側端部に至る途中部位に水平段部５ｂが形成されている。この水平段部５ｂは、本体Ｐの取付孔Ｐａに係合する。
【００２２】
支持部材５は、図２（ａ）に示す側面視において、折曲部５ａから水平段部５ｂに至るまでで互いに接近し、該水平段部５ｂで互いに離反し、該水平段部５ｂから本体Ｐ側端部に至るまでで再度互いに接近する形状とされている。
【００２３】
さらに、本例においては、一方の支持部材５の本体Ｐ側端部に、一対の支持部材５，５の該本体Ｐ側端部の間隔が取付孔に対して縮径方向に互いに短縮することを防止するストッパ５Ａを設けている。
【００２４】
本例におけるストッパ５Ａは、具体的には、一端部が一方の支持部材５の本体Ｐ側端部に枢支されてここを中心として回動可能とされ、他端部が他方の支持部材５の本体Ｐ側端部に係合し、一対の支持部材５，５における本体Ｐ側端部間に水平に架けられる構成とされている。
【００２５】
６は、配線器具２、アダプタ３、取付部材４を覆うカバー部材であり、本発明においては揺動抑止部材を構成する。カバー部材６は、本体Ｐの上面と天井面との空間の距離が固定され、該本体Ｐの揺動を抑止するために次の構成となっている。
【００２６】
すなわち、カバー部材６（揺動抑止部材）は、図３に示すように、断面Ｔ字状とされ、垂直部分が筒状とされ、水平部分の縁部が、取付部材４の高さが確保されたうえで天井面に接触している。一方、カバー部材６の垂直部分の端縁部は、本体Ｐの上面部に当接している。
【００２７】
また、本例の照明器具１は、本体Ｐの上部にも環状蛍光管７を設けて、本体Ｐの上面と天井面との間で間接照明が行える構成としている。したがって、カバー部材６を設けることにより、配線器具２、アダプタ３、取付部材４が露出して不要な影が生じることが抑制される。
【００２８】
また、カバー部材６は、本例では、例えば該カバー部材６の下面と、本体Ｐの上面とをねじ止めするが、この取り付け方は任意である。また、カバー部材６は、本体Ｐと取付部材４（とアダプタ３を介した配線器具２、つまり天井面）との間で狭持状に配置されるから、必ずしもねじ止めを要するわけではない。
【００２９】
７は、環状蛍光管であり、本例では、上記のとおり本体Ｐの上部に１本、下部に２本設ける構成とされる。８は、本体Ｐの下部全体を覆うセードである。
【００３０】
９は、上記のとおり、本体Ｐの上部で取付孔Ｐａの付近に例えば２箇所取り付けられた落下防止部材である。この落下防止部材９は、本例では、チェーンを採用しており、本体Ｐとは反対側の端部にフック９ａが設けられている。
【００３１】
落下防止部材９は、フック９ａを取付部材４の係合部４ｂに係合する、本例で採用したチェーンの長さ方向の任意箇所で調整してフック９ａを架けておくことで、取付部材４のフランジ面と本体Ｐまでの距離を調整することができる。
【００３２】
上記構成の照明器具１において、本体Ｐを天井面へ取り付ける場合について説明する。本例の場合、天井面には、配線器具２、これに接続したアダプタ３、及び該アダプタ３の爪３ａに係合した取付部材４が、まとまった状態で設けられている。
【００３３】
なお、取付部材４までの取り付け順序は、天井面に固定的に設けられた配線器具２に対して、アダプタ３を取り付け、このアダプタ３に対して取付部材４を取り付ける。また、ストッパ５Ａは、いま、この説明では一対の支持部材５，５の本体Ｐ側端部が互いに接近しないようにロックされている状態とする。
【００３４】
一方、本例の場合、本体Ｐには、その上部にカバー部材６と落下防止部材９、及び環状蛍光管７が、その下部に２本の環状蛍光管７，７及びセード８が、まとまった状態で設けられている。
【００３５】
なお、本体Ｐの組み立て順序は、本例の場合、カバー部材６を本体Ｐに配置する前に、該本体Ｐの上部の環状蛍光管７を取り付けておく以外は、制約されない。
【００３６】
ストッパ５Ａのロックを解除しておき、本体Ｐを取付部材４の方向へと移動させ、支持部材５，５を取付孔Ｐａに挿入すると、該支持部材５，５の本体Ｐ側端部から水平段部５ｂに至る傾斜により、該支持部材５，５の間隔が互いに接近するように、取付孔Ｐａに対して縮径方向に短縮される。
【００３７】
支持部材５，５は、取付孔Ｐａに挿入して行って水平段部５ｂを超えると、それまでの短縮が解放されて、支持部材５，５は元の折曲部５ａの角度に復元する。これにより、水平段部５ｂは、本体Ｐの下面側において取付孔Ｐａに対して拡径し、係合することとなる。その後、本例において落下防止部材９として採用したチェーンに対するフック９ａの位置を調整し、該フック９ａを取付部材４の係合孔４ａに係合する。
【００３８】
そして、本例の場合、不用意に、支持部材５，５の間隔が互いに接近することのないように、再度ストッパ５Ａをロック状態とする。以上により、本体Ｐの天井面への取り付けが完了する。
【００３９】
なお、支持部材５，５を取付孔Ｐａに挿入する前に、落下防止部材９を取付部材４に取り付けてもよいが、支持部材５，５による取付孔Ｐａとの係合の方が容易であるため、作業者の負担を軽減する点では、上記した順序の方が望ましい。
【００４０】
このようにして天井面に取り付けた本体Ｐは、地震などでよる大きな揺動が生じた場合にあっても、カバー部材６により天井面と同調して本体Ｐが揺動する、つまり天井面に対しては本体Ｐは揺動しないから、支持部材５による本体Ｐの取付が容易に外れることが抑制される。また、カバー部材６により本体Ｐのみが揺動することも抑止されるから、上記同様、支持部材５が容易に外れることが抑止される。
【００４１】
仮にストッパ５Ａが外れて支持部材５による本体Ｐの支持が機能しなくなっても、落下防止部材９によって本体Ｐが取付部材４に保持されるから、安全である。また、支持部材５のばね性が衰えて機能しなくなったとしても、上記同様安全である。
【００４２】
一方、天井面から本体Ｐを取り外す場合は、まず、落下防止部材９のフック９ａによる係合部４ａとの係合を外し、支持部材５，５の取付孔Ｐａとの係合を確認し、そのうえで、ストッパ５Ａのロックを解除し、該支持部材５，５の本体Ｐ側端部を互いに接近させて水平段部５ｂを取付孔Ｐａから抜く。以上により、本体Ｐの天井面からの取り外しが完了する。
【００４３】
なお、支持部材５，５を取付孔Ｐａから抜いた後に、落下防止部材９を取付部材４から外してもよいが、本例の場合、支持部材５，５による取付孔Ｐａとの係合を外す方が容易であるため、作業者の負担を軽減する点では、上記した順序の方が望ましい。
【００４４】
このように、本発明の照明器具１は、本体Ｐを、天井面に取り付ける場合においても、天井面から取り外す場合においても、本体Ｐの落下防止を、支持部材５，５と落下防止部材９とによって行うから、一方が機能しない場合であっても他方が落下防止の機能を果たすことができ、安全に使用することができる。
【図面の簡単な説明】
【００４５】
【図１】本発明の照明器具の概略構成を示す分解斜視図である。
【図２】本発明の照明器具における支持部材であり、（ａ）は側面視、（ｂ）は正面視、の状態を示す図である。
【図３】本発明の照明器具を天井面に取り付けた状態の部分断面図である。
【符号の説明】
【００４６】
１  照明器具
４  取付部材
４ａ  係合部
５  支持部材
５Ａ  ストッパ  
６  カバー部材
Ｐ  本体
Ｐａ  取付孔
９  落下防止部材
９ａ  フック
【図１】
2008243690.tif 000003
【図２】
2008243690.tif 000004
【図３】
2008243690.tif 000005